(57)【要約】治療および／または医薬品を購入する消費者を匿名で識別し、消費者の現在の医療情報および／または医薬品情報を使用して、少なくとも部分的に現在の医療情報および／または医薬品情報に基づいてターゲットを絞ったプロモーションを消費者に提供する方法、システム、コンピュータで読み取ることのできる命令。例としての実施形態では、現在の医療情報および／または医薬品情報は、消費者の現在の医薬品の処方箋である。【選択図】図１
2004507837.tif 000002
【特許請求の範囲】
【請求項１】
識別情報を使用して消費者を識別するステップと、
前記識別情報を使用して前記消費者に推薦する治療を決定するステップと、
前記消費者の前記治療に少なくとも部分的に基づいて、ターゲットを絞ったプロモーションを選択するステップと、
前記ターゲットを絞ったプロモーションを前記消費者に提供するステップと
を含む方法。
【請求項２】
前記消費者の前記治療を準備するステップと、
前記消費者に前記治療を提供するステップと
をさらに含む請求項１に記載の方法。
【請求項３】
前記治療を提供するステップは、
前記識別情報を前記消費者から再び受信することと、
前記識別情報を使用して前記消費者を再び識別することと
を含む請求項２に記載の方法。
【請求項４】
前記識別情報を再び受信することと、前記再び識別することとは、前記識別情報を受信し前記識別を行う場所とは異なる場所で行われる請求項３に記載の方法。
【請求項５】
前記治療を提供することはさらに、前記治療をロッカー（ｌｏｃｋｅｒ、箱、冷凍庫）に入れることを含む請求項２に記載の方法。
【請求項６】
前記治療を準備することは、処方箋の医薬品（薬物治療）を準備することを含む請求項２に記載の方法。
【請求項７】
前記治療は処方箋の医薬品（薬物治療）である請求項１に記載の方法。
【請求項８】
前記識別情報を受信することは、前記消費者の生物学的なパラメータを測定することを含む請求項１に記載の方法。
【請求項９】
前記消費者を識別することは、前記生物学的なパラメータを、候補となる複数の消費者から以前に測定された複数の生物学的なパラメータと比較することを含む請求項８に記載の方法。
【請求項１０】
前記生物学的なパラメータを測定することは、前記消費者の指紋を走査することを含む請求項８に記載の方法。
【請求項１１】
前記生物学的なパラメータを測定することは、前記消費者の音声を記録することを含む請求項８に記載の方法。
【請求項１２】
前記生物学的なパラメータを測定することは、前記消費者にヌクレオチド塩基指紋法を行うことを含む請求項８に記載の方法。
【請求項１３】
前記識別情報を受信することは、店の入口および店のグループの入口のうち少なくとも１つで行われる請求項１に記載の方法。
【請求項１４】
前記店は薬局である請求項１３に記載の方法。
【請求項１５】
前記治療を決定することは、
前記消費者に複数の可能な（ｐｏｔｅｎｔｉａｌ、潜在的な、見込みの）治療のリストをプロンプトするステップと、
前記複数の可能な治療から選択された治療を受信するステップと
を含む請求項１に記載の方法。
【請求項１６】
前記複数の可能な治療は、前記消費者が複数の処方箋を有する複数の医薬品（薬物治療）である請求項１５に記載の方法。
【請求項１７】
前記ターゲットを絞ったプロモーションを選択することは、
前記治療と補助的な治療を関連づけることと、
前記治療の前記補助的な治療に対応する、指示されたクライアントの商品に関して、可能な複数のクライアント商品のリストを検索することと、
前記指示されたクライアント商品を選択することと
を含む請求項１に記載の方法。
【請求項１８】
前記ターゲットを絞ったプロモーションを選択することは、
前記治療と症状とを関連づけることと、
複数のクライアント商品の各々で治療できる症状を含む、複数のクライアント商品のリストを検索することと、
前記指示されたクライアント商品が治療できる症状と、前記治療の症状との間の関係に基づいて、指示されたクライアント商品を選択することと
を含む請求項１に記載の方法。
【請求項１９】
前記識別は、前記消費者のアイデンティティが前記治療を準備する人から隠されるように前記消費者を匿名で識別することを含む請求項１に記載の方法。
【請求項２０】
消費者のための治療を識別し、前記治療に対応する情報を出力するように構成された治療識別装置と、
前記消費者のための前記治療情報を受信し、前記治療情報に少なくとも部分的に基づいて前記消費者のためにターゲットを絞ったプロモーションを選択するように構成されるプロセッサと、
前記ターゲットを絞ったプロモーションを前記消費者に提供するように構成されたプロモーション出力装置と
を備えたシステム。
【請求項２１】
前記治療識別装置は、
候補となる複数の治療情報を記憶するように構成された第１のフィールドを含む消費者データベースであって、前記治療情報は、複数の候補となる前記消費者の治療情報から選択される消費者データベースを備える請求項２０に記載のシステム。
【請求項２２】
前記治療識別装置はさらに、
前記消費者から識別情報を集めるように構成された消費者識別装置と、
候補となる複数の消費者の識別情報を記憶し、前記集められた識別情報にほぼ一致する、ほぼ一致の消費者識別情報を検索するように構成された識別データベースとを備える請求項２１に記載のシステム。
【請求項２３】
前記消費者識別装置は指紋スキャナを備える請求項２２に記載のシステム。
【請求項２４】
前記消費者識別装置はマイクロフォンを備える請求項２２に記載のシステム。
【請求項２５】
前記消費者識別装置は核酸分析装置を備える請求項２２に記載のシステム。
【請求項２６】
前記消費者識別装置はカード読取装置を備える請求項２２に記載のシステム。
【請求項２７】
前記消費者識別装置は磁気ストリップ読取装置を備える請求項２２に記載のシステム。
【請求項２８】
前記治療は医薬品（薬物治療）を含む請求項２０に記載のシステム。
【請求項２９】
前記医薬品（薬物治療）は処方箋の医薬品（薬物治療）を含む請求項２８に記載のシステム。
【請求項３０】
前記プロモーション出力装置はクーポンプリンタを含む請求項２０に記載のシステム。
【請求項３１】
前記プロモーション出力装置はニュースレターを含む請求項２０に記載のシステム。
【請求項３２】
前記プロモーション出力装置は店の中にある請求項２０に記載のシステム。
【請求項３３】
前記プロモーション出力装置は医療介護提供者の所にある請求項２０に記載のシステム。
【請求項３４】
前記治療識別システムは店の中にある請求項２０に記載のシステム。
【請求項３５】
消費者から識別情報を取得するように構成された消費者識別装置と、
候補となる複数の消費者識別情報を提供するように構成された消費者識別データベースと、
候補となる複数の消費者情報を提供するように構成された消費者データベースと、
候補となる複数の商品情報を提供するように構成された商品データベースと、
複数の治療情報を提供するように構成された医療データベースと、
前記候補となる複数の消費者識別情報からほぼ一致する消費者識別情報を選択し、前記ほぼ一致する消費者識別情報に基づいて前記候補となる複数の消費者情報から一致する消費者情報を選択し、前記一致する消費者情報に少なくとも部分的に基づいて前記複数の治療情報から選択された治療情報と、前記選択された治療情報に少なくとも部分的に基づいて候補となる複数の商品情報からターゲットを絞った商品情報とを選択するように構成されたプロセッサと、
前記ターゲットを絞った商品情報を前記プロセッサから受信し、ターゲットを絞ったプロモーションを前記消費者に出力するように構成されたプロモーション出力装置と
を備えたシステム。
【請求項３６】
消費者のための治療を識別する手段と、
前記識別された治療に基づいてターゲットを絞ったプロモーションを提供する手段と
を備えたシステム。
【請求項３７】
コンピュータ装置上で実行するプログラム命令を含んだコンピュータ読み取り可能な記録媒体であって、前記プログラム命令は、コンピュータが実行すると、前記コンピュータシステムに請求項１に記載の方法を実行させるコンピュータ読み取り可能な記録媒体。
【請求項３８】
コンピュータ装置上で実行するプログラム命令を含んだコンピュータ読み取り可能な記録媒体であって、前記プログラム命令は、コンピュータが実行すると、前記コンピュータシステムに請求項１に記載の方法を実行させるコンピュータ読み取り可能な記録媒体。
【請求項３９】
コンピュータ装置上で実行するプログラム命令を含んだコンピュータ読み取り可能な記録媒体であって、前記プログラム命令は、コンピュータが実行すると、前記コンピュータシステムに請求項２に記載の方法を実行させるコンピュータ読み取り可能な記録媒体。
【請求項４０】
コンピュータ装置上で実行するプログラム命令を含んだコンピュータ読み取り可能な記録媒体であって、前記プログラム命令は、コンピュータが実行すると、前記コンピュータシステムに請求項３に記載の方法を実行させるコンピュータ読み取り可能な記録媒体。
【請求項４１】
コンピュータ装置上で実行するプログラム命令を含んだコンピュータ読み取り可能な記録媒体であって、前記プログラム命令は、コンピュータが実行すると、前記コンピュータシステムに請求項８に記載の方法を実行させるコンピュータ読み取り可能な記録媒体。
【請求項４２】
コンピュータ装置上で実行するプログラム命令を含んだコンピュータ読み取り可能な記録媒体であって、前記プログラム命令は、コンピュータが実行すると、前記コンピュータシステムに請求項１５に記載の方法を実行させるコンピュータ読み取り可能な記録媒体。
【請求項４３】
コンピュータ装置上で実行するプログラム命令を含んだコンピュータ読み取り可能な記録媒体であって、前記プログラム命令は、コンピュータが実行すると、前記コンピュータシステムに請求項１７に記載の方法を実行させるコンピュータ読み取り可能な記録媒体。
【請求項４４】
コンピュータ装置上で実行するプログラム命令を含んだコンピュータ読み取り可能な記録媒体であって、前記プログラム命令は、コンピュータが実行すると、前記コンピュータシステムに請求項１８に記載の方法を実行させるコンピュータ読み取り可能な記録媒体。
【発明の詳細な説明】
【０００１】
（技術分野）
本発明は、消費者からの医療情報を使用してターゲットを絞ったプロモーションを提供することに関する。より具体的には、本発明は、消費者を匿名で又は明白に（ｏｖｅｒｔ、実名で）自動的に認識し、その消費者の治療を識別して、識別された治療に基づいてターゲットを絞ったプロモーションを提供することに関する。
【０００２】
（背景技術）
予想ターゲティングとは、購入など所定の行動の可能性を示す特徴を有する個人または個人のグループにマーケティング努力を向けるマーケティング技術である。調べる特徴は一般に、履歴データおよび／または人口学的データを含む。予想プロファイルに従って商品に興味を持つ可能性がある個人またはグループにマーケティング努力を絞ることによって、マーケティング費用を低減でき、ある商品に関心を持つ個人のグループが小さくても、一人当たり低コストで商品に関する情報を受けることができる。予想ターゲティングとマーケティングのより完全な記述は、たとえば１９９２年ニューヨークのマグロウヒル社刊、Ｅｄｗａｒｄ Ｌ． Ｎａｓｈ編集の「Ｔｈｅ Ｄｉｒｅｃｔ Ｍａｒｋｅｔｉｎｇ Ｈａｎｄｂｏｏｋ」に記載されており、この本の内容は全体として参照により本明細書に組み込まれている。また、米国特許第６，０２６，３７０号、第５，９７４，３９９号、第５，８９２，８２７号、第５，８３２，４５７号、第５，６１２，８６８号、第５，１７３，８５１号、第４，９１０，６７２号、第６，０１４，６３４号、第６，０５５，５７３号にも記載されており、これらの特許の内容は全体として参照により本明細書に組み込まれている。
【０００３】
従来の予想ターゲティングの限界の１つは、行動または購入につながる可能性のある状況およびイベントに関する現在の情報をあまり使用できないこと、および／または、使用が困難であることを含む。これらの環境とイベントはしばしば、単なる履歴記録よりも高い予想的価値を有するとされることがあるが、記録および／または取得することはしばしば困難である。環境とイベントに関する現在の情報を使用してプロモーションを提供する一般的な例には、大学の卒業生に新車購入割引を提供すること、家の購入者に家の修繕用品のクーポンを提供すること、および、事故に巻き込まれた人に個人傷害法律サービスを提供する「交通事故専門弁護士」を紹介することが含まれる。卒業、または、家の購入、事故などの現在の事件または状況に基づいて購入行動を予想することにより、代表的な人口学的な母集団にはそのような商品の購入がほとんど発生しない場合、または、このような購入の履歴記録がない場合でも、一人当たり低コストで商品情報を提供することができる。
【０００４】
現在のイベントまたは状況に基づいた予想購入行動の利点は、大きなチケット商品（ｌａｒｇｅ ｔｉｃｋｅｔ ｉｔｅｍ）の場合を除いて、現在そのような事件または状況などが存在するかどうかを決定するコストに照らし合わせると、ほとんど見合うものではない。上記の例では、マーケティング担当者はたとえば、大学に連絡して卒業生のリストをもらう、最近の不動産取引の公的な記録を検索する、または町中で救急車を追いかけるなどをしなければならない。言い換えれば、消費者の現在のイベント情報および／または状況情報に関する情報を提供するインセンティブはほとんどない場合が多い。したがって、状況データ／イベントデータは、ほとんど使用されないかおよび／または使用が困難なままである。
【０００５】
ほとんど使用されていない現在のイベント情報／状況情報の１つの具体的なタイプは、消費者の医療状態に関する情報である。種々の倫理的理由、医学的理由、財政的理由、プライバシー上の理由、社会的な理由、および法的理由により、消費者および／または医療介護提供者は、医療情報をマーケティング担当者および／または販売員に提供することに慎重である。多くの病気や病気状態がまれであり、および／または、前例がほとんどないかまたはまったくなく、異なる人口学的なグループの間で比較的均一に分布しているため、病気の個人を識別しマーケティングプロモーションを提供するコストが高すぎるために、医療製品のマーケティング情報と商品情報は、しばしば入手不可能である。
【０００６】
（発明の開示）
従って、本発明のひとつの目的は、消費者の医療状態（医療イベントおよび／または医療状況）に基づいてターゲットを絞ったプロモーションを効果的に発行する新規な方法、システム、コンピュータで読み取ることのできる命令を提供することである。
【０００７】
本発明の別の目的は、消費者のプライバシーを確保しながら、消費者がターゲットを絞ったプロモーションを受け取るようにする新規な方法、システム、コンピュータで読むことのできる命令を提供することである。
【０００８】
本発明のさらに別の目的は、消費者のプライバシーを確保しながら、消費者が現在の病気および／または病気状態を治療する医薬品（ｍｅｄｉｃａｔｉｏｎ、薬物治療）を受け取るようにする新規な方法、システム、コンピュータで読み取ることのできる命令を提供することである。
【０００９】
本発明の別の目的は、消費者が医薬品を受け取るプロセスを迅速化する新規な方法、システム、コンピュータで読み取ることのできる命令を提供することである。
【００１０】
本発明のさらに別の目的は、医薬品を希望する消費者を確実に識別できるようにする新規な方法、システム、コンピュータで読み取ることのできる命令を提供することである。
【００１１】
本発明のこれらの目的および別の目的は、治療および／または医薬品を購入する消費者を識別する新規な方法、システム、コンピュータで読み取ることのできる命令を提供することによって実現される。例としての実施形態では、この識別は消費者の匿名のバイオメトリック識別である。消費者を実名でまたは匿名で識別した後、消費者の現在の医療情報および／または医薬品情報を使用して、その現在の医療情報および／または医薬品情報に少なくとも部分的に基づいて、ターゲットを絞ったプロモーションをその消費者に提供する。例としての実施形態では、現在の医療情報および／または医薬品情報は、消費者の現在の医薬品の処方箋である。例としての実施形態では、匿名の識別を同様に使用して、好ましくは個人を明示的に識別せずに、医薬品および／または医療器具を準備しようとしている個人またはグループに、その医薬品および／または医療器具を望む匿名の個人の存在を示す。１実施形態では、この示唆は店の中および／または買物の場所に特定の医薬品を望んでいる識別されない個人がいることを、薬剤師に示すことである。さらに別の実施形態では、消費者の医療状態および／または医薬品に関して詳細な情報を提供する冊子と共に、ターゲットを絞ったプロモーションを提供する。
【００１２】
本明細書では、「匿名の消費者」および「匿名の識別」、消費者を「匿名で識別すること」という用語は、治療を準備および／または提供しようとしている人に消費者の名前を開示することなく、この識別情報を使用して消費者の治療を識別し、この治療の準備および／または提供を行うことができる、システムによる消費者の識別を指す。
【００１３】
本明細書に使用されている「プロモーション」という用語は、１つまたは複数の商品および／またはサービスを販売促進する任意のオファー、広告、ニュースレター、インセンティブ、クーポン、コマーシャル、レシピおよび／または連絡を指す。
【００１４】
発明者らは本発明で、消費者のプライバシーを保持しながら、その消費者の現在の医療イベント／状況情報に基づいてターゲットを絞ったプロモーションを消費者に提供する方法、装置、コンピュータで読み取ることのできる命令を説明している。これは、医療情報を使用して消費者の行動を予想する時には特に重要である。さらに、この方法、装置、コンピュータで読み取ることのできる命令は、これらの目標を安価な方法で達成し、消費者の時間を節約し公にすることを避けながら、医療状態を扱う。最後に、この方法、装置、コンピュータで読み取ることのできる命令は、消費者が医薬品を求める間、消費者をより確実に識別できるようにする。
【００１５】
付随する図面と共に以下の詳細な説明を参照することにより、本発明をよりよく理解することによって、本発明と、本発明に付随する多くの利点のより完全な理解を容易に得ることができる。
【００１６】
（発明を実施するための最良の形態）
次に、いくつかの図面に渡って同様な参照番号は同一の部分または対応する部分を示す図面を参照し、特に図１を参照すると、消費者の入力に基づいてプロモーションを発行する例としてのネットワーク構造が示されている。このネットワーク構造は、好ましい実施形態ではネットワーク６２０を介して中央データベース装置６１０に接続される少なくとも１つのインターアクションサイト（ｉｎｔｅｒａｃｔｉｏｎ ｓｉｔｅ、相互作用のサイト、対話サイト）６３０、または６４０、６５０を含む。代替の実施形態では、ネットワーク６２０はまったくなくてもよいし、または部分的になくてもよく、またはインターアクションサイト６３０、６４０、６５０は、中央データベース装置６１０などのコンピュータシステム上で実装できる。したがって、ネットワーク６２０は従来の通信または通信網として実装するか、または、コンピュータ内の電気リード、ワイヤ、バスとして実装することができる。
【００１７】
中央データベース装置６１０のプロセッサ６１１を使用して、ネットワーク６２０上で送信されるデータのコードおよびデコード、および、メモリ表６１２ａからｄへのデータの読み取りと書き込みの制御、メモリ表６１２ａからｄのデータの分析を行う。プロセッサ６１１は大量のデータ送信のために構成された任意のプロセッサであって、通信の処理（可能性としてはウェブサーバとして）、データベース検索、計算アルゴリズムの実行の際に大量の計算を行う。十分なメモリと処理容量を備えた従来のパーソナルコンピュータまたはワークステーションを、プロセッサ６１１として機能するように構成してもよい。インテル社が製造したＳＣ２４２用の１ＧＨｚのペンティアム（登録商標）ＩＩＩなどのペンティアム（登録商標）ＩＩＩマイクロプロセッサ、モトローラ社の５００ＭＨｚ　パワーＰＣ　Ｇ４プロセッサ、および、アドバンスドマイクロデバイス社の１ＧＨｚ　ＡＭＤ　ＡＴＨＬＯＮプロセッサはすべて、プロセッサ６１１として使用できる。メモリ表６１２ａからｄは、任意の種類のプロセッサでアクセス可能なデータ媒体であり、その中には、フロッピー（登録商標）ディスク、光ディスク、ＣＤ−ＲＯＭ、光磁気ディスクを含む任意のタイプのディスク、ＲＯＭ、ＲＡＭ、ＥＰＲＯＭ、ＥＥＰＲＯＭ、フラッシュメモリ、磁気カードまたは光カード、または、電気データを記憶するのに適した任意のタイプの媒体を含むが、これらに限られるものではない。
【００１８】
ネットワーク６２０は、ローカルエリアネットワーク、および／または、広域ネットワーク、仮想私設通信網、公衆交換電話網を介した接続であってよい。例としての実施形態では、ネットワーク６２０は多くの接続様式を含み、その中にはケーブルモデム接続、および／または、ＤＳＬ接続、ダイアルアップモデム接続、他の適切な接続機構が含まれる。
【００１９】
第１のタイプのインターアクションサイトはキオスクのインターアクションサイト６３０であり、その中には、例示的な実施形態では、店、買物領域、買物センター、買物モールなどの入口にあるキオスク端末６３０ａが含まれる。インターアクションサイト６３０は、プロセッサ６１１と同様なプロセッサを含んでいてもよいが、例示的な実施形態では、インターアクションサイトは単に、ネットワーク６２０上のデータの送受信、および、そのデータを入力装置６３０ｃから受信した時とプロモーション出力装置６３０ｂに出力する時の、コードとデコード専用となっている。キオスクのインターアクションサイト６３０は、消費者が操作するように設計され、一部の実施形態では、消費者を匿名で識別することができる。単に、キオスクのインターアクションサイト６３０を治療または医薬品が準備されている場所から離すことによって、識別プロセスのプライバシーとセキュリティの層が厚くなる。さらに、キオスクのインターアクションサイト６３０をベンダまたはベンダのグループの入口に置くことにより、個人に提供する治療または医薬品の準備をただちに開始することができ、消費者の時間が節約できる。キオスクのインターアクションサイト６３０は、消費者から識別情報を受信し、この情報をプロセッサ６１１に転送するＩＤ入力装置６３０ｃを含み、転送された識別情報はプロセッサ６１１で識別テーブル６１２ａと比較され、消費者の匿名で識別して、キオスクのインターアクションサイト６３０に消費者がいることの示唆を提供する。ＩＤ入力装置６３０ｃは、いくつかの認識装置のうち任意の認識装置であってよく、名前による消費者の識別を特に求める場合もあり求めない場合もあり、または単に消費者がキオスクのインターアクションサイト６３０にいることを実名または匿名で識別できるようにする。ＩＤ入力装置６３０ｃの適切な実施形態の例は、キーボード、および、タッチスクリーン、コンピュータのマウス、バーコード読取装置、磁気読取装置（ストリップ読取装置、ディスク読取装置、テープ読取装置を含む）、スマートカード読取装置、圧力センサ、動作検出装置、指紋読取装置、虹彩認証装置、遺伝情報識別装置、電磁気受信器、電圧計、熱センサ、または、デジタルプロセッサとインタフェースしてパスワードまたは、パターン、キーワード、シーケンス、その他の識別情報を認識することのできる他のトランスデューサを含む。入力装置６３０ｃの機能は、消費者が入力した識別を受信することだけでなくてはならない。
【００２０】
例としての実施形態では、ＩＤ入力装置６３０ｃはバイオメトリックである。言い換えれば、ＩＤ入力装置６３０ｃは生物学的情報および／または生物学的パラメータを使用して消費者を識別する。この方法の１つの重要な利点は、生物学的な情報はほとんど定義上、匿名であるということを含む。言い換えれば、消費者を識別するために使用される生物学的情報によって、その消費者が他の人に識別されるという好ましくない事態は生じない。これによって識別プロセスに別のセキュリティの層が加わる。さらに、バイオメトリック識別は変造／個人からの盗用が比較的困難であり、治療または医薬品を正しい個人に提供する助けとなる。
【００２１】
適切なタイプのバイオメトリック識別は、指紋読取装置、音声認識装置と虹彩認識装置、遺伝子チップを含む遺伝情報識別装置を含む。指紋読取装置は、たとえば、米国特許第４，７４７，１４７号、第５，１０９，４２７号、第３，８８２，４６２号、第５，６３１，９７１号に記述されており、これらの特許の内容はすべて、参照により本明細書に組み込まれている。簡単に言えば、ＩＤ入力装置６３０ｃとしてのスキャナは指先で反射した光のパターンを変換することによって、指紋のデジタル画像を作成する。指紋識別（ＦＩＤ）ソフトウェアを使用するプロセッサ６１１を使用して、二種類の固有の特徴を検索することによって反射された光のパターンを分析することができる。１つの特徴はコア、すなわち指紋の中央部である。もう１つの特徴は、うねが終了または分岐する細部である。プロセッサ６１１はこのようにして、細部に関連して一連のベクトルを記述する。走査の間指が中央部から離れていたり回転したりしていても、細部の間の関係を記述するベクトルが大幅に変化することはなく、十分に複雑で一意的である。うねと細部を使用して、１対１または１対多という、２つの可能な識別のうち１つを実行する。１対１検索は、セキュリティ目的で使用される識別確認システム（ＩＶＳ）内で行われる。ＩＶＳはあらかじめ、被験者に名前を名乗らせ、ＩＤ入力装置６３０ｃが走査し、キオスク端末６３０ａからプロセッサ６１１へ送信したばかりの指紋の細部パターンと、データベース識別テーブル６１２ａに記憶された知られた指紋の記録を比較する。切り傷または収差があるためすべての細部をキャプチャできるわけではないので、プロセッサ６１１はせいぜい、指紋が識別テーブル６１２ａの中の他の指紋と一致する可能性を決定できるだけである。識別テーブル６１２ａの知られた指紋が許容可能な限界内で一致すると、プロセッサ６１１は個人を「識別」する。１対多検索のもっともよく知られた例は、警察が使用するＡＦＩＳ（自動指紋識別装置）が行うものである。これはコールドサーチ（ｃｏｌｄ ｓｅａｒｃｈ）とも呼ばれ、もっとも一般的には、不明の人物からの指紋を、知られた人物と指紋のデータベースと比較し、不明の人物がデータベース内にすでに入っているかどうかを決定するために使用される。不明の人物を比較する指紋の数を絞るために、ＦＩＤはまず、指紋のコアから縁への方向でうねを数える。うねを数えるのは早いが、本質的に不正確である。指をスキャナにどれくらい強く押しつけるかに応じて、同じ指の上のうねの数は指紋を押すたびに容易に変化しうる。また、すべての指の上のうねの範囲はそれほど変化がなく、通常は１０から２０の間である。しかし、うねを数えることによって明らかなミスマッチが除去される。ついでプロセッサ６１１はうねを数えたことから生成された可能な一致を調べ、細部のパターンにおける別の類似点を探す。
【００２２】
音声認識は米国特許第６，６４０，４９０号、第５，７５１，９０４号、５，７４５，６４号に記述されており、これらの特許の内容は参照により本明細書に組み込まれている。簡単に言えば、プロセッサ６１１を制御する音声認識ソフトウェアはまずソフトウェアが認識すべき候補の音声の登録を検索し、これらの登録情報を識別テーブル６１２ａに記憶しなければならない。個人が自分の音声を候補の音声のリストに追加するには、一般に１０分から１時間の適切な時間に渡って知られたテキストを読み上げなければならない。音声認識ソフトウェアはこのサンプリングから多くの個人の音声の基準となる表を識別テーブル６１２ａの中に作成し、これが、話手の音素の発音か会話のモデルから変化する基準となる。登録後、話手は後から、ソフトウェアに候補者の音声の音声基準と比較させたいテキストを、ＩＤ入力装置６３０ｃとして機能するマイクロフォンの前で読み上げることができる。ＩＤ入力装置６３０ｃは、好ましくは、ノイズキャンセルを使用して背景の音声を除去する。ＩＤ入力装置６３０ｃとして機能するマイクロフォンの品質と、コンピュータプロセッサ６１１のパワーが、音声認識の品質に関係する。話手は、言葉の間に中断を入れない通常の会話である連続的な会話を使用することができる。ＩＤ入力装置６３０ｃとして機能するマイクロフォンが生成するアナログ信号は、キオスク端末６３０ａの中のアナログデジタルコンバータ（ＡＤＣ）が、一般的には３０ｋＨｚのレート、好ましくは５０ｋＨｚ以上のレートでサンプリングし、パターン認識アルゴリズムを使用して、ピッチ、ボリューム、周波数、音素の長さ、沈黙を含むいくつかの要素の一組の測定値に変換される。測定値は処理を迅速にするために圧縮され、ソフトウェアの音声エンジンは、たとえば、マイクロフォンの背景の音と音声の特性を考慮して測定値を調節する。プロセッサ６１１を制御する神経回路網アルゴリズムなどの音声認識装置が、キオスク端末６３０ａからの修正された測定値を、以前に個人の会話をサンプリングしてコンパイルし、識別データレコード６１２ａに記憶した、候補となる個人と関連づけられた以前の測定値のデータベースと比較する。認識装置は、ピッチなどの各測定値に関して、識別テーブル６１２ａの中で特定の測定値にもっともよく一致するデータベース項目を探す。選択肢をさらに狭めるために、音声エンジンは別の測定値を、識別テーブル６１２ａの中でたとえばピッチの測定値に関して高いスコアをとったデータベース項目の測定値とだけ比較する。このプロセスは、プロセッサ６１１が測定値の全範囲にわたってサンプルの音声ともっともよく一致する候補の音声を見つけるまで続けられる。
【００２３】
ＩＤ入力装置６３０ｃの代替の実施形態は、ＤＮＡ指紋テストによって消費者を匿名で識別する。ＤＮＡ指紋テストは、個人の間に存在する遺伝子の違いに基づいており、アプライドバイオシステムズ社が発行する「Ａｕｔｏｍａｔｉｏｎ ｏｆ ＤＮＡ Ｆｉｎｇｅｒｐｒｉｎｔｉｎｇ： ａ Ｍｕｌｔｉ−Ｃｏｌｏｒ Ｆｌｕｏｒｏｐｈｏｒｅ Ａｐｐｒｏａｃｈ」という題名の記事に記述されている。他の例としての技術は、米国特許第５，８３１，０６５号、第５，５７６，１８０号、第４，８８０，７５０号、第６，０７７，６６８号に記述されており、これらの特許の内容はすべて、参照により本明細書に組み込まれている。簡単に言えば、１実施形態では、現在、人間の特徴を表すもっとも有益な遺伝子マーカは、可変数タンデム反復（ＶＮＴＲ）遺伝子座である。ＶＮＴＲアレルは、タンデム反復配列の数によって大きさが異なる。ＤＮＡは血液または他の細胞、または組織のサンプルから分離され、ＶＮＴＲ遺伝子座のＤＮＡ配列はＰＣＲによってはっきりと増幅できる。自動ＤＮＡ精製、自動プライマ合成、自動蛍光フラグメント分析を伴うＰＣＲを行うと、個人をバイオメトリックスで識別することができる。これらの手順は、アプライドバイオシステム社が市販する、ＧＥＮＥＰＵＲＥＴＭ３４１核酸精製装置、ＰＣＲ−ＭＡＴＥＴＭ３９１ＤＮＡシンセサイザ、ＧＥＮＥ　ＳＣＡＮＮＥＲＴＭ３６２蛍光フラグメント分析装置を使用して自動化されている。
【００２４】
これらのステップを簡単に説明すると、アプライドバイオシステム社のＧＥＮＥＰＵＲＥ３４１核酸精製装置を使用してＤＮＡを精製する。この装置は、広い範囲のサンプルタイプから核酸を自動的に精製するために使用される。ＧＥＮＥＰＵＲＥシステムで少量のＤＮＡを処理するために特に設計されたプロトコルは、このシステムのフェノールクロロフォルムの化学反応とＢＡＳＥＢＩＮＤＥＲ樹脂を使用する。全血サンプル（５０ｐＬ）をトリス緩衝液を加えた生理食塩水（ＴＢＳ）で１．５ｍＬに希釈後、すでにＧＥＮＥＰＵＲＥ装置が供給した２Ｘ可溶化緩衝液を含むＧＥＮＥＰＵＲＥ反応槽の中に直接入れて、６０℃に熱した。ついで装置によりプロテイナーゼＫを供給し、振動させながら１時間の温浸を行う。ついで、装置によりフェノール／水／クロロフォルム試薬で２回抽出を行い、クロロフォルムで１回抽出を行う。ＢＡＳＥＢＩＮＤＥＲ樹脂を各反応槽に添加し、装置を使用して酢酸ナトリウムとイソプレパノールを供給する。この条件下で、遺伝子ＤＮＡが樹脂に結合する。装置はＰＲＥＣＩＰＩＴＡＴＥ　ＩＩフィルタ上に樹脂／沈殿物の複合体が集め、これをエタノールで洗浄処理して微量の汚染物質を除去する。ついで水で樹脂からＤＮＡを抽出することができる。
【００２５】
精製の前に、３つのＶＮＴＲ標的遺伝子座に特異的なオリゴヌクレオチドプライマを、高速オリゴヌクレオチド脱保護（ＦＯＤ）ホスホルアミダイトと標準の０．２μモルスケールの合成サイクルを使用して、ＰＣＲ−ＭＡＴＥ３９１ＤＮＡシンセサイザで合成してもよい。一般的な標的ＶＮＴＲ遺伝子座は、ＡｐｏＢ（１）、ｐＭＣＴ１１８（２）、ｐＮＺ２２（３）である。蛍光染料を付着させるために、標準の合成サイクルを使用して最後のモノマを付加する時に、ＡＭＩＮＯＬＩＮＫ２ＴＭアミンリンカを各プライマの５’末端に付加することができる。オリゴヌクレオチドを開裂し、脱保護した後、蛍光染料ＮＨＳエステルを、ＡＭＩＮＯＬＩＮＫ２の部分に渡って標識したいプライマと結合させる。
【００２６】
パーキンエルマーセタス機器社のＧＥＮＥＡＭＰ　ＰＣＲ　ＤＮＡ増幅装置で蛍光染料で標識をつけたオリゴヌクレオチドプライマを使用して、ＶＮＴＲが少ない状態でＤＮＡサンプルを増幅する。プライマは、ＡｐｏＢ（ＦＡＭブルー）、ｐＭＣＴ１１８（ＪＯＥグリーン）、ｐＹＮＺ２２（ＴＡＭＲＡイエロー）などの異なる染料で標識されており、ＰＣＲ産物にｉｎ　ｓｉｔｕで標識できるように調節されている。
【００２７】
蛍光染料で標識したＰＣＲ産物の部分標品を、「赤色」の発色団　ＲＯＸで標識した中間サイズの標準品のＧＥＮＥＳＣＡＮ１０００と結合させる。ついでサンプルをＧＥＮＥ　ＳＣＡＮＮＥＲで２％のアガロース　ゲルの中に入れ、４ボルト／ｃｍで４ｃｍの「よく読み取れる領域」全体を電気泳動させる。
【００２８】
ＧＥＮＥ　ＳＣＡＮＮＥＲ装置はサブマリン型アガロースゲル電気泳動用の、多色の蛍光を使用したＤＮＡ配列決定技術を使用している。この装置は、ゲル全体を走査し、染料で標識されて通過するＰＣＲ産物から蛍光を励起する、マルチラインのアルゴンイオンレーザを組み込んでいる。放射光は濾過され収集され、デジタル信号として送信され、コンピュータによって自動的に分析されて、断片長を割り当て、蛍光が定量化される。その後、測定された蛍光のパターンを、いくつかの候補となる個人に対応する、識別テーブル６１２ａ内の以前に測定された蛍光のパターンと比較する。これは、特定の個人に関連づけられた一致するパターンの位置を決定するまで継続する。
【００２９】
ＩＤ入力装置６３０ｃがどういう性質の装置であっても、識別データが生成および／または電子化されると、キオスク端末６３０ａから中央データベース装置６１０のプロセッサ６１１に転送することができる。もちろんこれはネットワーク６２０で行うことができるが、別法としては、プロセッサ６１１はキオスクのインターアクションサイト６３０（図示せず）の一部であってもよい。いずれにせよ識別データはプロセッサ６１１に中継され、プロセッサ６１１において識別データ記憶レコード６１２ａに記憶された表と比較される。識別データ記憶レコード６１２ａのデータ構造の例を、図３ａのデータレコードＡ７１０として示す。
【００３０】
プロセッサ６１１は、一致するレコードまたはほとんど一致するレコードを識別すると、さらにデータ記憶レコード６１２ｂ、６１２ｃ、６１２ｄにアクセスする。個人消費者データ記憶レコード６１２ｂは、たとえば、消費者が使用しているかまたは使用するように処方された現在の治療および／または医薬品、および、医療介護提供者が処方した新しい治療または医薬品、および／または人口学的な情報、健康情報、アレルギー情報、過去の購入の履歴的な記録など、個人の消費者に関するデータを含み、データ記憶レコード６１２ｂの例示的なデータ構造は図４ａのデータレコードＣ７３０に示されている。プロセッサ６１１が消費者を識別すると、プロセッサ６１１は消費者の個人表６１２ｂにアクセスし、その中のデータを多くの可能性のある使用に供する。
【００３１】
消費者の個人表６１２ｂの第１の可能な使用法は、消費者が使用可能な治療および／または医薬品をキオスク端末６３０ａにおいて消費者に示すことである。１実施形態では、この情報はたとえば、治療／医薬品情報６１２ｃに記憶された情報から収集された、コスト情報、および／または、保険補償範囲情報、消費者がいくつかの可能性のある治療および／または医薬品から１つを選択する選択機能、副作用および／または薬品の相互作用など治療および／または医薬品自体に関する情報を含んでいてもよい。
【００３２】
消費者の個人表６１２ｂを使用するもう１つの可能性は、消費者がベンダの店にいるかまたはもうすぐ来ること、可能性としては依然として識別されていないこの消費者は特定の治療および／または医薬品を求めていること、ベンダは選択された治療および／または医薬品の準備を始めるべきであることを、たとえば、薬剤師などのベンダに示す。この可能性のある使用法によって消費者の時間が節約でき、必要に応じて消費者の識別を保護する助けになる。従って、要求された治療および／または医薬品を識別する情報（消費者に関する情報があってもなくても）は、ネットワーク６２０上で、ベンダが運用しおそらくベンダの場所にあるベンダのインターアクションサイト６５０に送信することができる。ベンダのインターアクションサイト６５０では、治療（ｍｅｄｉｃａｌ ｔｒｅａｔｍｅｎｔ）情報および／または医薬品情報は、医療（ｍｅｄｉｃａｌ）／医薬品情報出力装置６５０ｂを使用してベンダに出力され、ベンダは治療および／または医薬品の準備を始めることができる。従って、医療／医薬品情報出力装置６５０ｂは、選択された治療および／または医薬品の性質をベンダに示すことのできる、コンピュータモニタ、または、プリンタ（紙または他の媒体）、磁気書込装置（ディスクドライブ、磁気ストリップ書込装置、テープ書込装置を含む）、バーコード書込装置、任意の他の出力装置であってよい。例としての実施形態では、別の識別入力装置６５０ｃがインターアクションサイト６５０にあり、消費者が選択された治療および／または医薬品を受け取る時に、消費者の識別をもう一度確認することができる。例としての実施形態では、選択された治療／医薬品の受領も匿名である。たとえば、識別入力装置６５０ｃは、選択された治療および／または医薬品が以前に置かれていたロッカーへのアクセスを制御する。このようにして、消費者はベンダまたは薬剤師と一対一で接触せずに、選択された治療および／または医薬品を受け取ることができる。
【００３３】
消費者の個人表６１２ｂの主な使用法は、消費者に使用可能であるかまたは推薦された、可能性のある治療および／または医薬品に基づいて、プロモーション出力装置６３０ｂで発行する適切なプロモーションを決定することである。これは、医療／医薬品データ記憶レコード６１２ｃに記憶された情報およびクライアントおよび／または製品データ記憶レコード６１２ｄに記憶された情報に照らして行われる。医療／医薬品データ記憶レコード６１２ｃは、治療および／または医薬品に関するデータを含み、治療および医薬品の安全な投与と使用法を確認し、またその個人消費者が治療および／または医薬品をリクエストしたという事実から提供された情報を使用して、適切なプロモーションを決定するために使用される。医療／医薬品データ記憶レコード６１２ｃの例としてのデータ構造を、図３ｂのデータレコードＢ７２０に示す。クライアントおよび／または商品データ記憶レコード６１２ｄは、本発明に従ってターゲットを絞ったプロモーションを提供するように契約したクライアントに関するデータと、クライアント商品に関し、ターゲットを絞った適切なプロモーションを決定するために使用される情報とを含む。クライアントおよび／または商品データ記憶レコード６１２ｃの例としてのデータ構造は、図４ｂのデータレコードＤ７４０として示されている。
【００３４】
このように、消費者の個人表６１２ｂと、可能性としてはキオスク端末６３０ａにおける消費者からのフィードバックとを使用して、治療および／または医薬品が選択または識別されると、この治療および／または医薬品に関する情報は医療／医薬品データ記憶レコード６１２ｃから引き出される。適切なプロモーションを決定することに関する情報は、たとえば、その治療および／または医薬品が一般的に処方および／または使用される病気および／または病的状態に対する他の治療または補助的な治療および／または症状を含んでいてもよい。このように、傷口の開いた傷または腫れ物を示す、局所抗生剤クリームに関する医療／医薬品データ記憶レコード６１２ｃは、このような傷または腫れ物は一般になんらかの方法で包帯をするという事実を含み、全身投与の抗生物質に関する処方箋は、このような処方に関連する可能性がある一般的なインフルエンザ様の症状（熱、鼻水、頭痛、のどの痛み）のリストを含む。プロセッサ６１１が医療／医薬品データ記憶レコード６１２ｃを使用して症状および／または他の治療または補助的な治療を決定すると、クライアントおよび／または商品データ記憶レコード６１２ｄを検索して識別された症状に一致するかまたは代替および／または補助的な治療としての役割を果たすクライアントの商品（複数可）を見つける。このようにして、上記の局所抗生剤クリームの場合、クライアントおよび／または商品データ記憶レコード６１２ｄは、包帯を提供するクライアントの場所を探し、クライアントの包帯に関する適切なプロモーションを識別するまで検索が続けられる。全身投与の抗生物質の場合、クライアントおよび／または商品データ記憶レコード６１２ｄは、たとえば、熱を下げる消毒用アルコール、および／または、鼻水を解消する消炎剤、頭痛治療用の鎮痛剤、のどの痛みを治療するトローチを提供するクライアントの場所を決定し、適切なプロモーションを決定するまで検索が続けられる。
【００３５】
例としての実施形態では、適切な種類のプロモーションはキオスク端末６３０ａに戻され、この時点でプロモーション出力装置６３０ｂを使用してプロモーションが出力される。プロモーション出力装置６３０ｂは同様に、いくつかの異なる装置のうち任意の装置から構成してもよく、その中にはコンピュータモニタ、プリンタ（紙または別の媒体）、磁気書込装置（ディスクドライブ、磁気ストリップ書込装置、テープ書込装置）、バーコード書込装置、テレビ画面、ラジオ放送、インターネットデータ送信、新聞またはニュースレターの印刷広告、または、単に別の装置に自動的に通信される電子プロモーションが含まれ、別の装置はたとえばチェックアウトキャッシャまたはクレジットカード会社であるので、この場合は図１に示されるようなキオスクのインターアクションサイト６３０にある必要はない。
【００３６】
別の代替の実施形態では、適切な種類のプロモーションは、医療介護提供者のインターアクションサイト６４０の医療介護提供者の端末６４０ａに戻され、ここで、プロモーション出力装置６４０ｂを使用してプロモーションが出力される。現在、多くの医療介護提供者は、本明細書に示されたシステムと同様のネットワーク装置を使用して、処方および／または推薦される治療および／または医薬品を登録している。医療介護提供者の場所（たとえば医者の診療所または病院）でプロモーションを提供することにより、プロモーションは可能な限り迅速に提供され、医療介護提供者がプロモーションの価値について個人と論じるチャンスが得られる。さらに、プロモーションは医療介護提供者が発信源となっているように見えるため、消費者にとっても重みのあるものとなる。
【００３７】
プロモーション出力装置６３０ｂおよび／または６４０ｂで提供されるプロモーションは、１つまたは複数の商品および／またはサービスを販売促進する、任意のオファー、および／または、広告、ニュースレター、インセンティブ、クーポン、コマーシャル、レシピ、連絡を指す。１実施形態では、プロモーションは米国特許第６，０６７，５２４号に示されたような保健資源ニュースレターなどのニュースレターと共に提供するか、またはニュースレターの中で提供され、この特許は参照により本明細書に組み込まれている。
【００３８】
図１に示された装置の代替の実施形態は、図２に示されている。主な違いは、異なるデータベース装置６１０、６１５、６６０にアクセスするいくつかのプロセッサ６１１、６１１ａ、６１１ｂが使用可能であるということである。この実施形態は、異なるベンダが異なるデータベースシステムを運用するように契約している場合を想定している。たとえば、米国特許第５，９８２，９１４号、第５，８３８，８１２号、第５，８０５，７１９号、第５，６１３，０１２号に記述されるように、スマートタッチ社は識別データベース装置６６０を運用するが、これらの特許はすべて参照により本明細書に組み込まれている。
【００３９】
さらに図２では、店の端末６５０ａを有するベンダのインターアクションサイト６５０は除去されている。この場合、キオスクのインターアクションサイト６３０は店の中の任意の場所にあってよいが、選択された治療および／または医薬品を受領するサイトにある。この場合、店の入口または店のグループの入口にあるキオスクのインターアクションサイト６３０で消費者を迎えることによって実現する時間の節約とセキュリティの強化は実現されないが、冗長な装置を除去したのでハードウェアのコストは最小である。
【００４０】
図３ａと図３ｂは、それぞれ、図１のデータ記憶レコード６１２ａと６１２ｃ、または、別法としては図２の６６０ａと６１６ａの中の個人識別データと、治療または医薬品に関するデータを記憶するために使用できる、２つの異なるデータレコード構造７１０と７２０とを示す。識別要素７１０ｄ、７１０ｅ、７１０ｆはＩＤ入力装置６３０ｃ、または別法としては６５０ｃで測定された同じパラメータと比較される。適切に一致するデータまたはほとんど一致するデータが見つかると、関連づけられた消費者の名前（または他の識別情報）７１０ｃがレコード７１０から引き出される。医薬品情報７２０ｄ、７１０ｅ、７１０ｆ、７１０ｇは、特定の医薬品の名前または他の識別情報７２０ｃと関連づけられ、図１の６３０ｂと６４０ｂ、および図２の６３０ｂのプロモーション出力装置において提供されるターゲットを絞ったプロモーションに関して適切な製品を選択するために使用される。
【００４１】
図４ａと図４ｂは、それぞれ、図１の６１２ｂと６１２ｄ、および／または図２の６１２ｂと６１６ｂのデータ記憶レコード、個人消費者のデータとクライアントの商品に関するデータ、およびその商品に関して入手可能なプロモーションとを記憶するために使用できる２つの異なるデータレコード構造７３０と７４０を示す。消費者の名前（または、他の識別情報）７１０ｃは、要素７３０ｃを使用して対応するデータレコード７３０を識別するために使用できる。これによって、ターゲットを絞った適切なプロモーションを決定する時に、消費者の医療情報、および／または人口学的情報、履歴情報に関する広い範囲の消費者情報７３０ｅ、７３０ｆ、７３０ｇ、７３０ｈを使用することができる。これは、データレコードＤ７４０の中のクライアントの製品に関して使用可能な情報と共に使用される。要素７４０ｄ、７４０ｅ、７４０ｆは、消費者情報７３０ｅ、７３０ｆ、７３０ｇ、７３０ｈに照らして選択された治療および／または医薬品からの医薬品情報７２０ｄ、７１０ｅ、７１０ｆ、７１０ｇと比較され、この商品に関するプロモーションのターゲットを絞り、その消費者に提供するかどうか、提供すべきかどうかを決定する。別法としては、場合によってはこの決定は消費者情報７３０ｅ、７３０ｆ、７３０ｇ、７３０ｈがなくても行うことができる。
【００４２】
図５は、本発明の１つの可能性としての実施形態を示すフローチャートである。ステップ５１００では、消費者の識別が行われる。消費者の識別は、識別入力装置６３０ｃまたは別の類似の識別機構に関して上述された識別機構のうち任意の機構を含んでいてもよい。好ましい実施形態では、識別は匿名ベースで行われる。言い換えれば、識別される個人の名前は治療および／または医薬品を準備または提供する薬剤師などのベンダからは隠されている。従って、個人の名前がベンダまたは準備する人に容易にアクセスできない限り、図３ａに示されたデータレコードＡ７１０などの個人の識別情報と関連づけられたデータフィールドに個人の名前を記憶することができる。ステップ５１００の識別は、公共の施設では食料品店のキオスクまたは食料品店のチェックアウトキャッシャなど、または家庭での使用などプライベートな設備では、インターネット接続、双方向テレビ、他のネットワーク装置を使用して行うことができる。識別が匿名であり個人の匿名性を保つように、個人がベンダから隔離されていることだけが必要である。
【００４３】
ステップ５２００では、その消費者に関して以前に決定された医療情報に基づいてターゲットを絞った適切なプロモーションが選択できる。この医療情報は医療記録、または、処方箋、病気の状態に関する情報、その消費者が提供した他の情報であってよい。ステップ５１００における識別機構が匿名である場合、消費者の識別は、薬剤師など、治療および／または医薬品の提供者および／または準備する人には知られないままである。１実施形態では、プロモーション選択プロセスは人口学的情報、または、履歴情報、他の医療情報などの消費者情報に照らして行われるが、本発明によってターゲットを絞ったプロモーションを提供するために、別な情報を得る必要はない。
【００４４】
もっとも簡単な実施形態では、治療／医薬品データレコードＢ７２０のいくつかの医薬品フィールド７２０ｄ、７２０ｅ、７２０ｆ、７２０ｇは、クライアント／商品データレコードＤ７４０のターゲティング情報フィールド７４０ｄ、７４０ｅ、７４０ｆと比較され、これらの間に対応が見出されて対応するターゲティング情報フィールド７４０ｄ、７４０ｅ、７４０ｆを伴う製品（複数可）が選択されるまで比較が行われる。代替の実施形態では、対応するターゲティング情報フィールド７４０ｄ、７４０ｅ、７４０ｆを伴う商品（複数可）のうち１つまたは複数を、たとえば、個人消費者データレコードＣ７３０の人口学的情報フィールド、履歴情報フィールド、医療情報フィールド７３０ｇ、７３０ｈ、７３０ｅに照らし合わせてさらに検討する。
【００４５】
消費者が識別され（実名または匿名で）、ターゲットを絞った適切なプロモーションが選択されると、ステップ５３００でターゲットを絞ったプロモーションを消費者に提供することができる。ターゲットを絞ったプロモーションの提供は、いくつかの異なる場所のうち任意の場所で行うことができ、その場所はたとえば、図１に示されたインターアクションサイト６３０または６４０、消費者の家、消費者が購入を行う場合にはキャッシャ、ニュースレター、コマーシャル、メール、新聞記事、ウェブサイトの広告、ラジオ放送、またはターゲットを絞ったプロモーションを提供できる任意の他の場所である。すなわち、消費者が自分の意思でプロモーションを受け取る必要はない。言い換えれば、消費者の特定の行為によってプロモーションをトリガして自動的に提供することができ、特定の行為とはたとえば、ウェブサイトへのログオン、および／または、商品の購入、医療ニュースレターの受領、メールボックスを開けること、クレジットカードの使用、顧客カードの使用、テレビ番組を見ること、ラジオ番組を聴くことなどである。ステップ５２００のプロモーションは、たとえば、１つまたは複数の商品および／またはサービスを販売促進するオファー、広告、インセンティブ、クーポン、コマーシャル、レシピ、連絡を含んでいてもよい。
【００４６】
図６は、消費者の治療および／または医薬品を識別する新しいステップ６２００を含むフローチャートである。治療および／または医薬品の識別は、たとえば、個人消費者テーブル６１２ｂ内に記憶されたデータレコードを使用して図１のプロセッサ６１１が自動的に行うこともできるし、または、たとえばインターアクションサイト６３０にいる消費者と共に行うこともできる。消費者の補助は特に、いくつかの治療および／または医薬品が消費者に使用可能である時に必要となる。この場合、消費者はオプションとしては、使用可能な治療および／または医薬品のうち１つだけを受け取るように選択してもよい。
【００４７】
図７は、識別された治療および／または医薬品を消費者に提供する新しいステップ７５００を含むフローチャートである。このステップでは、ベンダは使用可能ないくつかの治療および／または医薬品の中から識別された治療および／または医薬品を選択し（１つまたは複数）、この識別された（１つまたは複数の）治療および／または医薬品を消費者に提供する。このように、選択は、正しい医薬品を棚からとりだすことと、正しい容量を容器に入れること、または、正しい医療機器を消費者に準備することを含んでいてもよい。提供は、上記の匿名のロッカー機構、外科的介入を含む識別された治療および／または医薬品を消費者に提供および／または提供する他の方法を含むいくつかの異なる方法で行うことができる。
【００４８】
図８は、本発明の利点のうち１つ、すなわち、平行に行われるステップ８４００と８５００で示されるように、少なくとも部分的に多数のステップを同時に行うことができるという利点を明示的に示す。すなわち、ターゲットを絞ったプロモーションをステップ８５００で準備している間、望ましい治療および／または医薬品をステップ８４００で準備することができる。これによって消費者の時間を節約でき、消費者に、自分の医療データをマーケティング担当者と共有する別の理由を与える。もちろん、プロモーションと望ましい治療は、ステップ８６００と８７００にそれぞれ示されるように、消費者に提供しなければならない。これらの２つのステップの順序は任意である。たとえば、まずステップ８４００で医薬品を提供し、後日ステップ８６００でプロモーションを提供してもよい。慢性病または病気状態の場合、または、識別された治療または医薬品が入手可能な同じベンダでクライアントの商品が入手可能でない場合、この順序は特に有効である。たとえば、薬局で所定の形態の関節炎に対する医薬品を受け取る個人は、後から郵便で温泉に関するターゲットプロモーションを受け取ることができる。
【００４９】
図９は、本発明の１実施形態の中でいくつかの異なるユニットを形成できるコンピュータ装置８０１を示す。たとえば、コンピュータ装置８０１は、図１の中央データベース装置６１０またはインターアクションサイト６３０、６４０、６０５を交互に形成することができる。このため、コンピュータ装置８０１は、一意的な参照番号を使用して記述される。コンピュータ装置８０１の部品のうち別の図の中の部品に類似の部品を記述する時には、本文で明示的に言及する。コンピュータ装置８０１は、情報を通信するバス８０３または他の通信機構と、バス８０３と結合され情報を処理するプロセッサ８０５とを含む。プロセッサ８０５は図１のプロセッサ６１１を形成することができる。コンピュータ装置８０１はまた、バス８０３に結合され、情報と、プロセッサ８０５が実行すべき命令とを記憶する、ランダムアクセスメモリ（ＲＡＭ）、または他のダイナミック記憶装置（たとえばダイナミックＲＡＭ（ＤＲＡＭ）、スタティックＲＡＭ（ＳＲＡＭ）、同期ＤＲＡＭ（ＳＤＲＡＭ）、フラッシュＲＡＭ）などのメインメモリ８０７を含む。さらに、メインメモリ８０７を使用して、プロセッサ８０５が命令を実行している間、一時的変数または他の中間情報を記憶してもよい。コンピュータ装置８０１はさらに、バス８０３に結合され、スタティック情報とプロセッサ８０５のための命令とを記憶する、リードオンリーメモリ（ＲＯＭ）８０９、または、他のスタティック記憶装置（たとえばプログラマブルＲＯＭ（ＰＲＯＭ）、消去可能ＰＲＯＭ（ＥＰＲＯＭ）、電子消去可能ＰＲＯＭ（ＥＥＰＲＯＭ））を含む。磁気ディスクまたは光ディスクなどの記憶装置８１１も提供され、バス８０３に結合されて、情報と命令とを記憶する。記憶装置８１１は、図１のデータ記憶レコード６１２ａ、６１２ｂ、６１２ｃ、６１２ｄを含むことができる。
【００５０】
コンピュータ装置８０１はまた、特殊目的論理デバイス（たとえば特定用途向け集積回路（ＡＳＩＣ））、または構成可能論理デバイス（たとえば、ジェネリックアレイオブロジック（ＧＡＬ）、またはリプログラマブルフィールドプログラマブルゲートアレイ（ＦＰＧＡ））を含んでいてもよい。他のリムーバブル媒体装置（たとえばコンパクトディスク、テープ、リムーバブル光磁気媒体）、または、固定式の高密度媒体ドライブを、適切なデバイスバス（たとえば、小型コンピュータ装置用インタフェース（ＳＣＳＩ）バス、エンハンスドインテグレーテッドデバイスエレクトロニクス（ＩＤＥ）バス、またはウルトラダイレクトメモリアクセス（ＤＭＡ）バス）を使用してコンピュータ装置８０１に追加してもよい。このようなリムーバブル媒体デバイスと、固定式の高密度媒体ドライブも、図１のデータ記憶レコード６１２ａ、６１２ｂ、６１２ｃ、６１２ｄを含むことができる。コンピュータ装置８０１はさらに、コンパクトディスク読取装置、コンパクトディスク読取書込ユニット、またはコンパクトディスクジュークボックスを含んでいてもよく、これらの各々は同じデバイスバスに接続してもよいし別のデバイスバスに接続してもよい。
【００５１】
コンピュータ装置８０１をバス８０３を介して陰極線管（ＣＲＴ）などのディスプレイ８１３に結合し、情報をコンピュータのユーザに表示することができる。ディスプレイ８１３は、特にプロモーションがレシピまたは広告である場合、図１のプロモーション出力装置６３０ｂ、６４０ｂ、６５０ｂを形成することができる。ディスプレイ８１３はディスプレイカードで制御してもよいし、グラフィックスカードで制御してもよい。コンピュータ装置はキーボード８１５とカーソル制御８１７などの入力装置を含み、プロセッサ８０５に情報とコマンドの選択を通信する。キーボード８１５とカーソル制御８１７は、入力装置６４０ｃを形成してもよいし、図１のＩＤ入力装置６３０ｃまたは６５０ｃとして、識別としてパスワードを受領するために使用してもよい。カーソル制御８１７は、たとえば、マウス、トラックボール、カーソル方向キーであり、方向情報とコマンドの選択をプロセッサ８０５に通信し、ディスプレイ８１３上のカーソルの動きを制御する。さらに、特にプロモーションがクーポンである場合、プリンタ（図示せず）が、図１のプロモーション出力装置６３０ｂまたは６４０ｂ、または、医療／医薬品情報出力装置６５０ｂを提供してもよい。
【００５２】
コンピュータ装置８０１は、プロセッサ８０５がメモリ、たとえばメインメモリ８０７に含まれる１つまたは複数の命令の１つまたは複数のシーケンスを実行したことに応答して、本発明の処理ステップのうち一部または全部を実行する。このような命令は、記憶装置８１１などのコンピュータで読み取ることのできる他の媒体からメインメモリ８０７の中に読み込むことができる。マルチ処理構成の１台または複数のプロセッサを使用して、メインメモリ８０７の中に含まれる命令のシーケンスを実行してもよい。代替の実施形態では、ソフトウェア命令の代わりまたはソフトウェア命令と共に、ハードワイヤード回路を使用することができる。このように、実施形態は特定のハードウェア回路とソフトウェアの組み合わせに限定されない。
【００５３】
上記のように、装置８０１は本発明の教示に従ってプログラミングされ、本明細書に記述されたデータ構造、または、表、レコード、他のデータを記憶する、少なくとも１つのコンピュータで読むことのできる媒体またはメモリを含む。コンピュータで読むことのできる媒体の例は、コンパクトディスク、ハードディスク、フロッピー（登録商標）ディスク、テープ、光磁気ディスク、ＰＲＯＭ（ＥＰＲＯＭ、ＥＥＰＲＯＭ、フラッシュＥＰＲＯＭ）、ＤＲＡＭ、ＳＲＡＭ、ＳＤＲＡＭなどである。本発明は、コンピュータで読み取ることのできる１つの媒体または媒体の組み合わせに記憶されて、コンピュータ装置８０１を制御し、本発明を実装する装置（複数可）を駆動し、コンピュータ装置８０１が人間のユーザと相互作用できるようにするソフトウェアを含む。このようなソフトウェアには、デバイスドライバ、オペレーティングシステム、開発ツール、アプリケーションソフトウェアが含まれるが、これらに限定されるものではない。このようなコンピュータ読み取り可能な記録媒体はさらに、本発明を実装する際に実行される処理の全部または一部（処理が分散されている場合）を実行する、本発明のコンピュータプログラム製品を含む。
【００５４】
本発明のコンピュータコード装置は、任意の解釈されたコード機構または実行可能コード機構であり、その中にはスクリプト、および、インタープリタ、ダイナミックリンクライブラリ、Ｊａｖａ（登録商標）クラス、完全実行可能プログラムが含まれるが、これらに限定されるものではない。さらに、本発明の処理の一部を分散して、性能、および／または、信頼性、コストを改善することもできる。
【００５５】
本明細書では、「コンピュータ読み取り可能な記録媒体（ｃｏｍｐｕｔｅｒ ｒｅａｄａｂｌｅ ｍｅｄｉｕｍ）」という用語は、プロセッサ８０５が実行する命令を提供することに関与する任意の媒体を指す。コンピュータで読むことのできる媒体は多くの形態を取ることができ、形態の中には、不揮発性媒体、揮発性媒体、送信媒体が含まれるが、これらに限定されるものではない。不揮発性媒体は、たとえば、記憶装置８１１などの、光ディスク、および、磁気ディスク、光磁気ディスクを含む。揮発性媒体は、メインメモリ８０７などのダイナミックメモリを含む。送信媒体は、バス８０３を構成するワイヤを含む、同軸ケーブル、および、銅線、光ファイバを含む。送信媒体はまた、無線波データ通信および赤外線データ通信などの間に生成される、音波または光波の形態をとってもよい。
【００５６】
コンピュータ読み取り可能な記録媒体の一般的な形態は、たとえば、ハードディスク、フロッピー（登録商標）ディスク、テープ、光磁気ディスク、ＰＲＯＭ（ＥＰＲＯＭ、ＥＥＰＲＯＭ、フラッシュＥＰＲＯＭ）、ＤＲＡＭ、ＳＲＡＭ、ＳＤＲＡＭ、または、任意の他の磁気媒体、コンパクトディスク（たとえばＣＤ−ＲＯＭ）、または任意の他の光媒体、パンチカード、紙テープ、または穴のパターンを伴う他の物理的な媒体、搬送波（次に説明する）、またはコンピュータが読み取ることのできる他の媒体を含む。
【００５７】
種々の形態のコンピュータが読み取ることのできる媒体は、プロセッサ８０５が実行する１つまたは複数の命令の１つまたは複数のシーケンスを実行することに関与してもよい。たとえば、命令はまず遠隔コンピュータの磁気ディスクが担持してもよい。遠隔コンピュータは本発明の全部または一部を実装する命令を遠隔でダイナミックメモリにロードし、モデムを使用して電話回線上で命令を送信することができる。コンピュータ装置８０１にローカルなモデムは電話回線上でデータを受信し、赤外線送信器を使用してデータを赤外線信号に変換することができる。バス８０３に結合された赤外線検出装置は赤外線信号で搬送されたデータを受信し、データをバス８０３上に置くことができる。バス８０３はデータをメインメモリに搬送し、プロセッサ８０５はメインメモリ８０７から命令を検索して実行する。オプションとしては、メインメモリ８０７が受信した命令はプロセッサ８０５が実行する前か実行した後のいずれかに、記憶装置８１１上に記憶することができる。
【００５８】
コンピュータ装置８０１はまた、バス８０３に結合された通信インタフェース８１９を含む。以前に説明したように、通信インタフェース８１９自体がプロモーション出力装置６３０ｂ、６４０ｂ、６５０ｂを形成し、電子プロモーションを電子的に遠隔装置に通信することができる。このような電子プロモーションは、たとえば、ベンダのレジスタに自動的に送信される電子クーポン、消費者の裁量でベンダに直接出される電子注文、または商品の購入または注文時に消費者のアカウントに割り当てられるクレジットを含んでいてもよい。通信インタフェース８１９は、ローカルネットワーク８２３に接続されたネットワークリンク８２１への双方向データ通信結合を提供する。たとえば、通信インタフェース８１９は、パケット交換ローカルエリアネットワーク（ＬＡＮ）に接続されるネットワークインタフェースカードであってよい。別の例としては、通信インタフェース８１９は、対応するタイプの電話線にデータ通信接続を提供する、非対称デジタル加入者線（ＡＤＳＬ）カード、総合デジタルサービス網（ＩＳＤＮ）カード、または、モデムであってよい。ワイヤレスリンクも実装できる。どの実装においても、通信インタフェース８１９は種々のタイプの情報を表すデジタルデータストリームを搬送する電気信号、または、電磁気信号、光信号を送受信する。
【００５９】
ネットワークリンク８２１は、典型的には１つまたは複数のネットワークを介して別のデータ装置にデータ通信を提供する。たとえば、ネットワークリンク８２１は、ローカルネットワーク８２３（たとえばＬＡＮ）を介するか、または、通信ネットワーク８２７を介して通信サービスを提供するサービスプロバイダが運用する機器を介して、コンピュータ８２５へ接続を提供することができる。通信ネットワーク８２７は、図１のネットワーク６２０を形成できる。１実施形態では、コンピュータ８２５は、図１のインターアクションサイト６３０、６４０、６５０のうち１つであり、コンピュータ６０１は、中央データベース装置６１０である。一部の実施形態では、ローカルネットワーク８２３と通信ネットワーク８２７は、好ましくは、デジタルデータストリームを搬送する電気信号、または、電磁気信号、光信号を使用する。デジタルデータをコンピュータ装置８０１との間でやりとりする、種々のネットワークを介した信号およびネットワークリンク８２１上で通信インタフェース８１９を介した信号は、情報を搬送する搬送波の例示的な形態である。コンピュータ装置８０１は、ネットワーク（複数可）、ネットワークリンク８２１、通信インタフェース８１９を介して通知を送信し、プログラムコードを含むデータを受信することができる。
【００６０】
上記の教示に照らして、本発明の多くの修正例および変形例が可能であることは明らかである。従って、本発明は付随する請求項の範囲の中で、本明細書に具体的に記述された方法とは別の方法でも実行できることを理解されたい。
【図面の簡単な説明】
【図１】
消費者の入力に基づいてプロモーションを発行する例としてのネットワーク構造の概念的な図である。
【図２】
消費者の入力に基づいてプロモーションを発行する第２の例としてのネットワーク構造の概念的な図である。
【図３ａ】
例としてのデータレコード構造を示す図である。
【図３ｂ】
例としてのデータレコード構造を示す図である。
【図４ａ】
例としてのデータレコード構造を示す別の図である。
【図４ｂ】
例としてのデータレコード構造を示す別の図である。
【図５】
消費者の医療状態に基づいてターゲットを絞ったプロモーションを発行するプロセスのフロー図である。
【図６】
消費者の医療状態に基づいてターゲットを絞ったプロモーションを発行する第２のプロセスのフロー図である。
【図７】
消費者の医療状態に基づいてターゲットを絞ったプロモーションを発行する第３のプロセスのフロー図である。
【図８】
消費者の医療状態に基づいてターゲットを絞ったプロモーションを発行する第４のプロセスのフロー図である。
【図９】
本発明の特殊機能のうち１つまたは複数の機能を実行するようにプログラミングされたコンピュータ装置の概念図である。
【図１】
2004507837.tif 000003
【図２】
2004507837.tif 000004
【図３ａ】
2004507837.tif 000005
【図３ｂ】
2004507837.tif 000006
【図４ａ】
2004507837.tif 000007
【図４ｂ】
2004507837.tif 000008
【図５】
2004507837.tif 000009
【図６】
2004507837.tif 000010
【図７】
2004507837.tif 000011
【図８】
2004507837.tif 000012
【図９】
2004507837.tif 000013
【国際公開パンフレット】
2004507837.tif 000014
2004507837.tif 000015
2004507837.tif 000016
2004507837.tif 000017
2004507837.tif 000018
2004507837.tif 000019
2004507837.tif 000020
2004507837.tif 000021
2004507837.tif 000022
2004507837.tif 000023
2004507837.tif 000024
2004507837.tif 000025
2004507837.tif 000026
2004507837.tif 000027
2004507837.tif 000028
2004507837.tif 000029
2004507837.tif 000030
2004507837.tif 000031
2004507837.tif 000032
2004507837.tif 000033
2004507837.tif 000034
2004507837.tif 000035
2004507837.tif 000036
2004507837.tif 000037
2004507837.tif 000038
2004507837.tif 000039
2004507837.tif 000040
2004507837.tif 000041
2004507837.tif 000042
2004507837.tif 000043
2004507837.tif 000044
2004507837.tif 000045
2004507837.tif 000046
2004507837.tif 000047
2004507837.tif 000048
2004507837.tif 000049
2004507837.tif 000050
2004507837.tif 000051
2004507837.tif 000052
【国際公開パンフレット（コレクトバージョン）】
2004507837.tif 000053
【国際調査報告】
2004507837.tif 000054
2004507837.tif 000055